(57)【特許請求の範囲】
【請求項１】
ランドセルに被せて使用する雨用カバー（１）であって、ランドセル（５）の底部に接する下側の部分が、ランドセル（５）の底部に取り付けた背負いバンド（６）との接続具（７）を覆わないようにえぐれており、
周縁上部にゴム紐（２）を取り付けて伸縮自在とすると共に、周縁下部を袋状に形成し、その中に紐（３）を通し、さらに紐（３）の先が周縁下部中央に形成した紐出し穴（１ａ）から出ているようにしてあり、
紐（３）に紐止め具（４）を取り付け、紐止め具（４）により紐（３）の締め具合を調節可能とすることによって、雨用カバー（１）の背負いバンド６と当たっている部分には紐（３）が通されており、紐（３）が通されている部分を伸縮しないようにすることができ、
雨用カバー（１）は紐（３）を緩めてからランドセル（５）に被せ、紐止め具（４）により紐（３）を締めると、ランドセル本体の左右の襠部と、底部の接続具（７）を除いた部分と、かぶせ部を覆うこと
を特徴とするランドセルの雨用カバー。
【発明の詳細な説明】
【０００１】
【発明の属する技術分野】
この発明は、ランドセルが雨に濡れないようにランドセルに被せて使用する雨用カバーに関するものである。
【０００２】
【従来の技術】
従来のランドセルの雨用カバーは、ランドセルの背板部を除いてすっぽりと覆う形状になったものであり、合成樹脂シートや撥水化工された合成繊維からなる布で形成され、周縁部全周にゴム紐を取り付けて周縁部を伸縮自在としたものであった。
【０００３】
そして、雨用カバーをランドセルに被せ、前記ゴム紐でランドセルに取り付けていた。
【０００４】
しかしながら、ランドセルの背負いバンドの下端がランドセル本体の底部に取り付けられており、ランドセルに雨用カバーを被せると背負いバンドの下側の端まで雨用カバーに覆われるようになるため、ランドセルを背負うときに、背負いバンドが雨用カバーの端を起こし、雨用カバーが外れやすいという問題点があった。
【０００５】
【発明が解決しようとする課題】
そこでこの発明では、上記の問題点を解決し、ランドセルを背負うときに、雨用カバーが外れないようにしたランドセルの雨用カバーを提供することを目的とする。
【０００６】
【課題を解決するための手段】
そのため、この発明のランドセルの雨用カバーでは、ランドセル５の底部に接する下側の部分が、ランドセル５の底部に取り付けた背負いバンド６との接続具７を覆わないようにえぐれているようにしたものとした。
【０００７】
前記の構成とすれば、ランドセル５の底部に取り付けた背負いバンド６との接続具７が、雨用カバー１により覆われないので、ランドセルを背負うときに、背負いバンド６が雨用カバー１の端を押しあげることがなく、雨用カバー１は外れない。
【０００８】
前記の構成に加え、周縁上部にゴム紐２を取り付けて伸縮するようにすると共に、周縁下部を袋状に形成し、その中に紐３を通し、さらに紐３の先が周縁下部中央に形成した紐出し穴1aから出ているようにしたものとした。
【０００９】
前記の構成とすれば、雨用カバー１が、背負いバンドの端を覆ってしまった場合でも、背負いバンドと当たる周縁下部の部分が紐３になっており伸縮しないので、雨用カバー１の端は起きにくく、外れにくくなる。
【００１０】
前記の構成に加え、紐３に紐止め具４を取り付け、紐止め具４により紐３の締め具合を調節可能とし、紐３が通されている部分を伸縮しないようにすることが好ましい。また、雨用カバー１は紐３を緩めてからランドセル５に被せ、紐止め具４により紐３を締めると、ランドセル本体の左右の襠部と、底部の接続具７を除いた部分と、かぶせ部を覆うことが好ましい。
【００１１】
ランドセルに雨用カバー１を被せるときは、紐３を緩めておけば、ランドセルに雨用カバー１を被せやすくなる。前記のように、紐止め具４を取り付けておけば、雨用カバー１を被せるときには、紐３を緩めやすくなり、雨用カバー１を被せたあとも紐３を締めやすくなる。
【００１２】
【発明の実施の形態】
図１は、この発明のランドセルの雨用カバーの一部切欠斜視図であり、図２は使用状態を示す斜視図である。
【００１３】
この発明のランドセルの雨用カバー１は、ナイロンやポリエステル等の撥水化工された合成樹脂布からなり、ランドセル５の左右の襠部と、底部と、かぶせ部を覆う形状になっている。さらに、雨用カバー１のランドセル本体の底部に接する下側の部分は、えぐれて形成されており、雨用カバー１をランドセル５に被せたときに底部に取り付けた背負いバンド６との接続具７の部分が露出するようになっている。
【００１４】
さらに、雨用カバー１の周縁部全周は袋状に形成され、上側の部分にはゴム紐２が通されており、伸縮するようになっている。またさらに、周縁部の下側の部分には紐３が通されており、紐３の先が周縁下部中央に形成した紐出し穴1aから出ている。
【００１５】
紐３の雨用カバー１から出ている部分は、２本纏めて紐止め具４に挿通されており、紐止め具４により紐３の締め具合を調節できるようになっている。
【００１６】
この実施例で使用している紐止め具４は、ボタン4aを押すと側部に形成された紐通し穴4bが開放され、ボタン4aを離すと紐３が移動不能に係止されるようになったものであり、市販されている公知の構造のものである。
【００１７】
以上の構成からなる、雨用カバー１を紐３を緩めてからランドセル５に被せ、紐止め具４により紐３を締めると、図２に示すように、ランドセル本体の左右の襠部と、底部の接続具７を除いた部分と、かぶせ部を覆うようになる。
【００１８】
このように、この発明の雨用カバー１では、下側の部分がえぐれているので、背負いバンド６を係止している底部の接続具７が覆われなくなり、ランドセル５を背負うときに、ランドセル５の背負いバンド６が雨用カバー１の端を押しあげることがなく、雨用カバー１は外れない。
【００１９】
また、背負いバンド６の一部が雨用カバー１で覆われてしまった場合でも、下側の部分がえぐれて形成されているため、覆われた部分が僅かであるだけでなく、ランドセル５を背負うときに、ランドセル５の背負いバンド６が雨用カバー１の端を押しあげようとしても、雨用カバー１の背負いバンド６と当たっている部分には紐３が通されており、伸縮しないので、雨用カバー１の端は起きにくく、雨用カバー１は外れにくい。
【００２０】
以上が実施例の説明であり、紐３に紐止め具４を取り付けた例を示したが、紐止め具４がない構成とし、紐３どうしを結ぶようにして実施することもできる。さらに、雨用カバー１を撥水化工された合成樹脂布で形成した例を示したが、合成樹脂シートで構成することもできる。またさらに、周縁部全周にゴム紐を取り付けて周縁部を伸縮自在として実施することもできる。
【００２１】
【発明の効果】
この発明のランドセルの雨用カバーでは、上述のように、ランドセル５の底部に接する下側の部分が、ランドセル５の底部に取り付けた背負いバンド６との接続具７を覆わないようにえぐれているので、ランドセル５を背負うときに、ランドセル５の背負いバンド６が雨用カバー１の端を押しあげることがなく、雨用カバー１は外れない。
【００２２】
また、底部の接続具７が雨用カバー１で覆われてしまった場合でも、覆われた部分は僅かな部分であるだけでなく、雨用カバー１の背負いバンド６と当たっている部分には紐３が通されており、伸縮しないので、雨用カバー１の端は起きにくく、雨用カバー１は外れにくい。
【００２３】
また、雨用カバーの着脱は、紐を緩めたり締めたりすることにより容易になるが、紐止め具４を取り付ければ、紐３を締めたり緩めたりすることが簡単にできるようになり、使いやすいものとなる。
【図面の簡単な説明】
【図１】この発明のランドセルの雨用カバーの一部切欠斜視図である。
【図２】この発明のランドセルの雨用カバーの使用状態を示す斜視図である。
【符号の説明】
１  雨用カバー
1a  紐出し穴
２  ゴム紐
３  紐
４  紐止め具
５  ランドセル
６  背負いバンド
７  接続具
【図１】
0004251253.tif 000002
【図２】
0004251253.tif 000003